(57)【要約】【課題】簡易な構成で、ロック解除の操作を広いスペースで容易かつ確実に行うことを可能とする。【解決手段】板状信号伝送媒体ＰＳの端末部分を挿入する媒体収容空間を設けた導電性シェル１１に、相手コネクタ２０との嵌合状態を保持する嵌合ロック部１１ｈ，１１ｉと、相手コネクタ２０に対する嵌合ロック部１１ｉの係合状態を解除するロック解除部材１１ｍ，１１ｎとを一体的に設けるとともに、配線基板の表面に対して略直交する方向にロック解除部材１１ｎを弾性変位可能に配置し、嵌合ロック部１１ｉの係合状態を解除する操作を、配線基板の表面と略直交する上下方向に行うことにより、比較的広いスペース内においてロック解除操作が容易かつ確実に行われる構成を採用したものである。【選択図】図１
2017195032.tif 000002
【特許請求の範囲】
【請求項１】
所定の板幅をなして延在する主面を備えた板状信号伝送媒体の端末部分が、導電性シェルから突出するように取り付けられた状態で、前記板状信号伝送媒体の主面と略平行に延在する配線基板の表面上に実装された相手コネクタに差し込まれて嵌合される構成になされたプラグコネクタにおいて、
前記導電性シェルに、前記板状信号伝送媒体の端末部分が挿入される媒体収容空間が設けられているとともに、
前記相手コネクタへの差し込み嵌合時に当該相手コネクタの一部に係合して差し込み嵌合状態を保持する嵌合ロック部と、前記相手コネクタに対する前記嵌合ロック部の係合状態を解除するように操作されるロック解除部材と、が、前記導電性シェルに一体的に設けられたものであって、
前記ロック解除部材が、前記差し込み嵌合時において、前記配線基板の表面に対して略直交する方向に弾性変位可能に配置されていることを特徴とするプラグコネクタ。
【請求項２】
前記ロック解除部材は、前記板状信号伝送媒体の差し込み方向に直交し且つ前記板状信号伝送媒体の主面に平行な板幅方向において、前記導電性シェルと略同一の幅寸法を有していることを特徴とする請求項１記載のプラグコネクタ。
【請求項３】
前記ロック解除部材が、前記導電性シェルに対して弾性アーム部を介して一体的に連結されたものであって、
前記弾性アーム部は、前記導電性シェルの端縁部から外方に突出した後に湾曲して延出し、前記ロック解除部材が、前記導電性シェルに対して前記配線基板の表面と直交する方向において互いに重なり合う状態に配置されていることを特徴とする請求項１記載のプラグコネクタ。
【請求項４】
前記弾性アーム部には、段差状をなす折曲部が設けられていることを特徴とする請求項１記載のプラグコネクタ。
【請求項５】
前記嵌合ロック部が、前記配線基板の表面に対して略平行な方向に弾性変位可能な状態に配置されている一方、
前記ロック解除部材には、前記配線基板の表面に対して傾斜する方向に延在する加圧部が設けられ、
当該ロック解除部材の加圧部は、前記嵌合ロック部に対して、当該嵌合ロック部を弾性変位させる状態に当接可能に配置されていることを特徴とする請求項１記載のプラグコネクタ。
【発明の詳細な説明】
【技術分野】
【０００１】
本発明は、板状の信号伝送媒体（以降、板状信号伝送媒体と称す）の端末部分を導電性シェルから突出させた状態で相手コネクタに差し込む構成を備えたプラグコネクタに関する。
【背景技術】
【０００２】
一般に、種々の電気機器等において、フレキシブル・プリンテッド・サーキット（ＦＰＣ）や、フレキシブル・フラット・ケーブル（ＦＦＣ）等の細長の板状をなす各種の板状信号伝送媒体の端末部分を、プラグコネクタに連結した状態としておき、その板状信号伝送媒体が連結されたプラグコネクタを、配線基板上に実装された相手コネクタとしての例えばリセプタクルコネクタの内方に差し込んで嵌合させ、それによって電気的な接続を行うことが広く行われている。このときのプラグコネクタには、ロック機構を構成する嵌合ロック部が設けられており、相手コネクタ（リセプタクルコネクタ）に嵌合された際に、そのプラグコネクタに設けられた嵌合ロック部が、相手コネクタ側の嵌合ロック係止部に係合された状態となる。そのようなロック機構を介して嵌合状態となされたプラグコネクタは、相手コネクタから抜け出すことなく保持されることとなる。
【０００３】
一方、上述したロック機構による保持状態を解除するにあたっては、プラグコネクタに設けられているロック解除操作部に対して所定の操作が行われる。すなわち、プラグコネクタに設けられているロック解除操作部は、一般に、プラグコネクタの長手方向の両側に設けられており、その両側に配置された一対のロック解除操作部同士を、例えば操作者の手の親指と人差し指との間で挟み込んだ状態とすることで、それら両ロック解除操作部同士を、互いに近接させる方向に押し込む操作が行われることによってロック解除の操作が行われる。
【０００４】
しかしながら、このような従来のプラグコネクタにおいて、両側のロック解除操作部を挟み込むように行われるロック解除の操作は、配線基板の側面の近傍で行われることから、極めて狭いスペース内での操作となり、操作者の指先が配線基板に邪魔される等により、ロック解除の操作が難しくなることが考えられる。
【先行技術文献】
【特許文献】
【０００５】
【特許文献１】特開２０１４−２３５７９４号公報
【特許文献２】特開２０１４−２３５９０５号公報
【発明の開示】
【発明が解決しようとする課題】
【０００６】
そこで本発明は、簡易な構成で、ロック解除の操作を、より広いスペースにおいて容易かつ確実に行うことができるようにしたプラグコネクタを提供することを目的とする。
【課題を解決するための手段】
【０００７】
上記目的を達成するため、請求項１記載の発明にかかるプラグコネクタにおいては、所定の板幅をなして延在する主面を備えた板状信号伝送媒体の端末部分が、導電性シェルから突出するように取り付けられた状態で、前記板状信号伝送媒体の主面と略平行に延在する配線基板の表面上に実装された相手コネクタに差し込まれて嵌合される構成になされたプラグコネクタにおいて、前記導電性シェルに、前記板状信号伝送媒体の端末部分が挿入される媒体収容空間が設けられているとともに、前記相手コネクタへの差し込み嵌合時に当該相手コネクタの一部に係合して差し込み嵌合状態を保持する嵌合ロック部と、前記相手コネクタに対する前記嵌合ロック部の係合状態を解除するように操作されるロック解除部材と、が、前記導電性シェルに一体的に設けられたものであって、前記ロック解除部材が、前記差し込み嵌合時において、前記配線基板の表面に対して略直交する方向に弾性変位可能に配置された構成が採用されている。
【０００８】
このような請求項１にかかる発明によれば、嵌合ロック部の係合状態を解除するロック解除部材に対してロック解除操作が行われるにあたって、配線基板の表面と略直交する上下方向にロック解除部材が操作されることから、比較的広いスペースを有する上方側からの操作となって、ロック解除操作が容易かつ確実に行われる。
【０００９】
このとき、請求項２にかかる発明のように、前記ロック解除部材は、前記板状信号伝送媒体の差し込み方向に直交する板幅方向において前記導電性シェルと略同一の幅寸法を有していることが望ましい。
【００１０】
このような請求項２にかかる発明によれば、ロック解除部材の操作面積が拡大された状態になされることから、ロック解除操作が、一層、容易化される。
【００１１】
また、請求項３にかかる発明のように、前記ロック解除部材が、前記導電性シェルに対して弾性アーム部を介して一体的に連結されたものであって、前記弾性アーム部は、前記導電性シェルの端縁部から外方に突出した後に湾曲して延出し、前記ロック解除部材が、前記導電性シェルに対して前記配線基板の表面と直交する方向において互いに重なり合う状態に配置されていることが可能である。
【００１２】
さらに、請求項４にかかる発明のように、前記弾性アーム部には、段差状をなす折曲部が設けられていることが望ましい。
【００１３】
このような請求項４にかかる発明によれば、弾性アーム部の強度が折曲部により増大されることから、ロック解除部材の塑性変形などの損傷が防止される。
【００１４】
さらにまた、請求項５にかかる発明のように、前記嵌合ロック部が、前記配線基板の表面に対して略平行な方向に弾性変位可能な状態に配置されている一方、前記ロック解除部材には、前記配線基板の表面に対して傾斜する方向に延在する加圧部が設けられ、当該ロック解除部材の加圧部は、前記嵌合ロック部に対して、当該嵌合ロック部を弾性変位させる状態に当接可能に配置されていることが可能である。
【発明の効果】
【００１５】
上述のように本発明は、板状信号伝送媒体の端末部分を挿入する媒体収容空間を設けた導電性シェルに、相手コネクタとの嵌合状態を保持する嵌合ロック部と、相手コネクタに対する嵌合ロック部の係合状態を解除するロック解除部材とを一体的に設けるとともに、配線基板の表面に対して略直交する方向にロック解除部材を弾性変位可能に配置し、嵌合ロック部の係合状態を解除するロック解除部材に対するロック解除操作を、プラグコネクタの相手コネクタへの差し込み嵌合時に、配線基板の表面と略直交する上下方向に行うこととして、比較的広いスペース内においてロック解除操作が容易かつ確実に行われる構成を採用したものであることから、簡易な構成で、ロック解除の操作を容易かつ確実に行うことができる。
【図面の簡単な説明】
【００１６】
【図１】本発明の一実施形態にかかるプラグコネクタを、後方側の斜め上方から表した外観斜視説明図である。
【図２】図１に示されたプラグコネクタを、後方側の斜め下方から表した外観斜視説明図である。
【図３】図１及び図２に示したプラグコネクタを表した平面説明図である。
【図４】図１〜図３に示したプラグコネクタを表した底面説明図である。
【図５】図１〜図４に示したプラグコネクタを表した背面説明図である。
【図６】図１〜図５に示したプラグコネクタを表した側面説明図である。
【図７】図１〜図６に示したプラグコネクタを表した正面説明図である。
【図８】図３中の VIII − VIII 線に沿った横断面説明図である。
【図９】図３中の IX − IX 線に沿った横断面説明図である。
【図１０】図１〜図９に示した状態からロック解除操作を行った後の状態を表した平面説明図である。
【図１１】図１０中の XI − XI 線に沿った横断面説明図である。
【図１２】図１０中の XII − XII 線に沿った横断面説明図である。
【図１３】図１〜図９に示したプラグコネクタの導電性シェルを上下に開放状態として板状信号伝送媒体（ＦＰＣ，ＦＦＣ）を挿入しようとしている状態を後方側の上方から表した外観斜視説明図である。
【図１４】図１３の状態にあるプラグコネクタ及び板状信号伝送媒体（ＦＰＣ，ＦＦＣ）を後方側の下方から表した外観斜視説明図である。
【図１５】図１３及び図１４の状態にあるプラグコネクタ及び板状信号伝送媒体（ＦＰＣ，ＦＦＣ）を表した平面説明図である。
【図１６】図１３〜図１５の状態にあるプラグコネクタ及び板状信号伝送媒体（ＦＰＣ，ＦＦＣ）を表した側面説明図である。
【図１７】図１３〜図１６に示した状態から、プラグコネクタの導電性シェルの内部に板状信号伝送媒体（ＦＰＣ，ＦＦＣ）を挿入した状態を後方側の上方から表した外観斜視説明図である。
【図１８】図１７の状態にあるプラグコネクタ及び板状信号伝送媒体（ＦＰＣ，ＦＦＣ）を後方側の下方から表した外観斜視説明図である。
【図１９】図１７及び図１８の状態にあるプラグコネクタ及び板状信号伝送媒体（ＦＰＣ，ＦＦＣ）を表した平面説明図である。
【図２０】図１７〜図１９の状態にあるプラグコネクタ及び板状信号伝送媒体（ＦＰＣ，ＦＦＣ）を表した側面説明図である。
【図２１】図１７〜図２０に示した状態から、プラグコネクタの導電性シェルを閉塞状態とした状態を後方側の上方から表した外観斜視説明図である。
【図２２】図２１の状態にあるプラグコネクタ及び板状信号伝送媒体（ＦＰＣ，ＦＦＣ）を後方側の下方から表した外観斜視説明図である。
【図２３】図２１及び図２２の状態にあるプラグコネクタ及び板状信号伝送媒体（ＦＰＣ，ＦＦＣ）を表した平面説明図である。
【図２４】図２１〜図２３の状態にあるプラグコネクタ及び板状信号伝送媒体（ＦＰＣ，ＦＦＣ）を表した側面説明図である。
【図２５】図２１〜図２４の状態にあるプラグコネクタ及び板状信号伝送媒体（ＦＰＣ，ＦＦＣ）を、リセプタクルコネクタに対して対向するように配置した状態の外観斜視説明図である。
【図２６】図２５の状態にあるプラグコネクタ及びリセプタクルコネクタを表した平面説明図である。
【図２７】図２６中の XXVII − XXVII 線に沿った横断面説明図である。
【図２８】図２５〜図２７に示した状態から、プラグコネクタをリセプタクルコネクタに挿入して嵌合状態とした状態を外観斜視説明図である。
【図２９】図２８の嵌合状態にあるプラグコネクタ及びリセプタクルコネクタを表した平面説明図である。
【図３０】図２９中の XXX − XXX 線に沿った横断面説明図である。
【図３１】図２８〜図３０の嵌合状態にあるプラグコネクタ及びリセプタクルコネクタを表した背面説明図である。
【図３２】図３１中の XXXII − XXXII 線に沿った横断面説明図である。
【図３３】図３１に示した嵌合状態からロック解除操作を行った状態を表した背面説明図である。
【図３４】図３３中の XXXIV − XXXIV 線に沿った横断面説明図である。
【発明を実施するための形態】
【００１７】
以下、本発明の実施の形態を図面に基づいて詳細に説明する。
［電気コネクタ装置について］
【００１８】
図１〜図１２に示された本発明の一実施形態にかかるプラグコネクタ１０には、フレキシブル・プリンテッド・サーキット（ＦＰＣ）や、フレキシブル・フラット・ケーブル（ＦＦＣ）等からなる板状信号伝送媒体ＰＳの端末部分が、図１３〜図２４に示されているように連結される。そして、そのように板状信号伝送媒体ＰＳの端末部分が連結されたプラグコネクタ１０は、図２５〜図３４に示されているように、相手コネクタとしてのリセプタクルコネクタ２０に対して略水平方向に差し込まれて嵌合状態になされ、それによって電気コネクタ装置が構成される。
【００１９】
上述した相手コネクタとしてのリセプタクルコネクタ２０は、図示を省略した印刷配線基板上に形成された配線パターンに半田接続された実装状態で使用されている。当該リセプタクルコネクタ２０と、当該リセプタクルコネクタ２０に嵌合されたプラグコネクタ１０とからなる電気コネクタ装置を介して、板状信号伝送媒体（ＦＰＣ，ＦＦＣ）ＰＳが、印刷配線基板側に電気的に接続されるようになっている。
【００２０】
以下において、リセプタクルコネクタ２０が実装される印刷配線基板の表面の延在方向を「水平方向」とし、その印刷配線基板の表面に垂直な方向を「高さ方向」とする。また、プラグコネクタ１０においては、リセプタクルコネクタ２０に対する嵌合時の差し込み方向における先端側の端縁部を「前端縁部」とし、それとは反対側の板状信号伝送媒体ＰＳの端末部分が差し込まれて連結される側の端縁部を「後端縁部」とする。また、リセプタクルコネクタ２０においては、プラグコネクタ１０が嵌合時に差し込まれる側の端縁部を「前端縁部」、その反対側の端縁部を「後端縁部」とする。さらに、これらのプラグコネクタ１０及びリセプタクルコネクタ２０は、細長状をなすように延在しているが、その延在方向を「コネクタ長手方向」と呼ぶこととする。
【００２１】
さらにまた、プラグコネクタ１０の後端縁部から後方側に延出している板状信号伝送媒体（ＦＰＣ，ＦＦＣ）ＰＳは、上述した「コネクタ長手方向」を「板幅方向」とした状態でプラグコネクタ１０に連結されているとともに、その「板幅方向」に直交する方向である前記印刷配線基板の表面に略平行な方向に長尺状をなして延在する主面を備えた板状部材から構成されており、複数本の信号線及びグランド線（シールド線）が、「板幅方向」に沿って多極状をなすように隣接して配列されている。
【００２２】
［プラグコネクタについて］
このような電気コネクタ装置の一方側の電気コネクタを構成している本発明にかかるプラグコネクタ１０は、図１〜図９に示されているように、一般的な電気コネクタが備えている合成樹脂等の絶縁性材料からなる絶縁基体（絶縁ハウジング）を有しておらず、電磁波ノイズ等を遮断するための導電性シェル１１の内部に形成された媒体収容空間に、板状信号伝送媒体（ＦＰＣ，ＦＦＣ）ＰＳの端末部分が挿入されて固定された構成になされている。
【００２３】
このときの導電性シェル１１は、単一の導電性金属板を適宜に折曲加工した折曲げ体から形成されており、板状信号伝送媒体（ＦＰＣ，ＦＦＣ）ＰＳの端末部分を上下から挟むように構成された上部シェル体１１ａ及び下部シェル体１１ｂを備えた一体的な構造体から形成されている。これらの上部シェル体１１ａ及び下部シェル体１１ｂの詳細な構造については後段において説明する。
【００２４】
一方、板状信号伝送媒体（ＦＰＣ，ＦＦＣ）ＰＳは、上述したように板幅方向に沿って複数本の信号線及びグランド線が、可撓性を有する絶縁被覆材の内部に多極状をなすように配列されているが、本実施形態における絶縁性の被覆部材（以降、絶縁被覆部材）としては、上述した信号線及びグランド線上に下層を構成するように貼着された絶縁性カバーフィルムが用いられているとともに、さらにその絶縁性カバーフィルム上からシールドテープが上層を構成するように積層された構造になされている。
【００２５】
そして、このような絶縁被覆部材は、プラグコネクタ１０の媒体収容空間内に挿入される先端縁側の一定領域で剥がされた状態になされており、それによって多極状の電極部が形成されている。すなわち、当該板状信号伝送媒体ＰＳの端末部分においては、複数本のグランド線が、上面側の主面から露出された状態になされているとともに、多数本の信号線が、下面側の主面から露出された状態になされていて、それらの信号線及びグランド線の露出部分によって複数の接続端子部（コンタクト部）ＰＳ１からなる多極状電極部が形成されている。なお、これらの接続端子部ＰＳ１を除いた領域（非露出側部分）には絶縁被覆材が被着されている。
【００２６】
このような複数の接続端子部ＰＳ１を有する板状信号伝送媒体（ＦＰＣ，ＦＦＣ）ＰＳの端末部分は、上述した導電性シェル１１の内部に挿入されて固定されるが、当該板状信号伝送媒体ＰＳの固定状態においては、特に図１３〜図２４に示されているように、接続端子部（多極状電極部）ＰＳ１が、導電性シェル１１の前端縁から前方に向かって突出するように配置され、相手コネクタとしてのリセプタクルコネクタ２０内に挿入されて電気的な接触が行われるようになっている。
【００２７】
また、このような板状信号伝送媒体（ＦＰＣ，ＦＦＣ）ＰＳの板幅方向における両側端縁部分には、上述した接続端子部（多極状電極部）ＰＳ１の両側外方部分に、位置決め穴部ＰＳ２がそれぞれ設けられているとともに、それらの位置決め穴部ＰＳ２のやや後方側に相当する部分には、位置決め切欠き部ＰＳ３がそれぞれ設けられている。位置決め穴部ＰＳ２は、板状信号伝送媒体ＰＳの絶縁被覆部材を貫通するように形成された平面矩形状を有する角穴から構成されており、後述するようにプラグコネクタ１０の導電性シェル１１に形成された第１の位置規制片１１ｒが、板状信号伝送媒体ＰＳの位置決め穴部ＰＳ２に食い込むように挿通されることで係合される構成になされている。
【００２８】
また、位置決め切欠き部ＰＳ３は、上述した位置決め穴部ＰＳ２に対して、プラグコネクタ１０の挿入方向の後方側にやや離れた位置に並列するように配置されているが、当該位置決め切欠き部ＰＳ３は、板状信号伝送媒体ＰＳの板幅方向の両側端縁部分において、平面略矩形状をなしてコネクタ中心側に向かって切り込まれた切り欠き部から形成されている。この位置決め切欠き部ＰＳ３に対しては、後述するようにプラグコネクタ１０の導電性シェル１１に形成された第２の位置規制片１１ｓが設けられており、その導電性シェル１１側の第２の位置規制片１１ｓが、板状信号伝送媒体ＰＳ側の位置決め切欠き部ＰＳ３の切り欠き空間内に挿通され、当該位置決め切欠き部ＰＳ３の切り欠き空間を形成している端縁部に係合されるようになっている。
【００２９】
このように、プラグコネクタ１０側に設けられた第１の位置規制片１１ｒ及び第２の位置規制片１１ｓが、板状信号伝送媒体ＰＳ側に設けられた位置決め穴部ＰＳ２及び位置決め切欠き部ＰＳ３に各々係合されることによって、板状信号伝送媒体ＰＳの全体が、予め定められた所定の位置に保持されることとなる。
【００３０】
［導電性シェルについて］
前述したように導電性シェル１１は、板状信号伝送媒体（ＦＰＣ，ＦＦＣ）ＰＳの端末部分を上下から挟む導電性の金属板状部材からなる上部シェル体１１ａ及び下部シェル体１１ｂから構成されている。これらの上部シェル体１１ａ及び下部シェル体１１ｂにおける前端縁部分は、「コネクタ長手方向」の両側部分に配置された一対の帯板状部材からなる挿入ガイド部１１ｃ，１１ｃにより一体的に繋げられている。これらの挿入ガイド部１１ｃ，１１ｃは、上述した上部シェル体１１ａと下部シェル体１１ｂとの間において、側面視において「Ｕ」字形状を９０°回転した形状又は略「Ｃ」字形状に折り返された曲げ形状をなすように延在している。
【００３１】
一方、このような導電性シェル１１の折り返し部に設けられた挿入ガイド部１１ｃ，１１ｃに対応して、相手コネクタであるリセプタクルコネクタ２０の前端縁部分には、後述するようにガイド受け部２１ａが傾斜面をなすように形成されている。そして、図２５〜図３４に示されているように、プラグコネクタ１０をリセプタクルコネクタ２０に挿入・嵌合する際に、当該挿入ガイド部１１ｃ，１１ｃがガイド受け部２１ａ，２１ａに当接することによって、プラグコネクタ１０の差し込み挿入方向が予め定められた方向に規制されて案内が行われるようになっている。
【００３２】
また、上述したように一対の挿入ガイド部１１ｃ，１１ｃを介して、上部シェル体１１ａと下部シェル体１１ｂとが一体的に連結されているが、これらの上部シェル体１１ａ及び下部シェル体１１ｂ同士が対向している内方側の領域には、板状信号伝送媒体（ＦＰＣ，ＦＦＣ）ＰＳを挿入するための媒体収容空間が形成されている。
【００３３】
ここで、それらの上部シェル体１１ａと下部シェル体１１ｂとは、上述した挿入ガイド部１１ｃ，１１ｃを中心として開閉される構成になされている。より具体的には、それらの上部シェル体１１ａと下部シェル体１１ｂとは、挿入ガイド部１１ｃ，１１ｃと反対側の自由端縁部分同士が上下方向に離間した初期状態である「開放状態」（図１３〜図２０参照）と、互いに近接した「閉塞状態」（図１〜図１２及び図２１〜図２４参照）との間において揺動される構成になされている。そして、そのような導電性シェル１１の初期状態である「開放状態」になされた上部シェル体１１ａと下部シェル体１１ｂとの間の媒体収容空間の内部に、板状信号伝送媒体（ＦＰＣ，ＦＦＣ）ＰＳが、接続端子部ＰＳ１側から差し込まれる構成になされている。
【００３４】
一方、前述したように挿入ガイド部１１ｃ，１１ｃは、導電性シェル１１の前端側部分における両側に配置されているが、これらの両挿入ガイド部１１ｃ，１１ｃ同士の間部分には、板状信号伝送媒体（ＦＰＣ，ＦＦＣ）ＰＳの接続端子部ＰＳ１が貫通する横長状開口部が、コネクタ長手方向に沿って細長状に延在するように形成されている。このように導電性シェル１１の前端縁部分に設けられた横長状開口部に対して、その反対側に対向する部分、つまり媒体収容空間における後端側部分には、板状信号伝送媒体ＰＳの位置決め穴部ＰＳ２及び位置決め切欠き部ＰＳ３を含めた当該板状信号伝送媒体ＰＳの板幅全体を挿入可能とする媒体挿入開口部がコネクタ長手方向に細長状に延在するように形成されている。
【００３５】
そして、図１３〜図２０に示されているように、導電性シェル１１における後方側の媒体挿入開口部を通して、板状信号伝送媒体（ＦＰＣ，ＦＦＣ）ＰＳの接続端子部ＰＳ１が媒体収容空間に挿入された後、さらに前方側に挿入されていくことによって、当該板状信号伝送媒体ＰＳの接続端子部ＰＳ１が、上述した横長状開口部を通して前方側に向かって突き出すように突出する。すなわち、導電性シェル１１に設けられた横長状開口部は、板状信号伝送媒体ＰＳを媒体収容空間内に挿入し終える側の前端部分に形成されており、当該導電性シェル１１の媒体収容空間の内部に挿通された板状信号伝送媒体ＰＳは、位置決め穴部ＰＳ２及び位置決め切欠き部ＰＳ３を含めた端末部分が媒体収容空間の内部に収納されるとともに、接続端子部ＰＳ１が、上述した横長状開口部から前方側外方に向かって露出される構成になされている。
【００３６】
また、上述した導電性シェル１１の上部シェル体１１ａ及び下部シェル体１１ｂにおける「コネクタ長手方向」の両側端縁部分には、当該両シェル体１１ａ，１１ｂ同士の固定手段が設けられている。より具体的には、上部シェル体１１ａ側の両側端縁部分の各々には、一対の上部固定側板１１ｄ，１１ｅが、コネクタ前後方向に所定の間隔をあけて設けられているとともに、下部シェル体１１ｂ側の両側端縁部分の各々には、上述した上部固定側板１１ｄ，１１ｅに対応した位置に、一対の下部固定側板１１ｆ，１１ｇが設けられている。これら上下の固定側板１１ｄ〜１１ｇは、上部シェル体１１ａ及び下部シェル体１１ｂにおけるコネクタ長手方向の端縁部分を、各々下方側及び上方側に向かって略直角に折り曲げ形成した板状片から形成されている。
【００３７】
そして、図２１〜図２４に示されているように、上部シェル体１１ａと下部シェル体１１ｂとを上下方向に重ね合わせるように、挿入ガイド部１１ｃにおける側面視の「Ｕ」字形状を９０°回転した形状又は略「Ｃ」字形状に折り曲げ、それによって導電性シェル１１を閉塞状態とすると、上述した上部固定側板１１ｄ，１１ｅが下部固定側板１１ｆ，１１ｇに係合する。このとき、上部固定側板１１ｄと下部固定側板１１ｇに設けられた係合突起が、上部固定側板１１ｅと下部固定側板１１ｆに設けられた係止穴に嵌合され、それによって上部シェル体１１ａと下部シェル体１１ｂとが強固に固定されるとともに、そのような閉塞状態で固定された上部シェル体１１ａと下部シェル体１１ｂとの間に前述した媒体収容空間が形成されるようになっている。
【００３８】
ここで、導電性シェル１１の上部シェル体１１ａには、前述したようにプラグコネクタ１０内に挿入された板状信号伝送媒体（ＦＰＣ，ＦＦＣ）ＰＳの位置決め穴部ＰＳ２及び位置決め切欠き部ＰＳ３に対応する位置に、第１の位置規制片１１ｒ及び第２の位置規制片１１ｓが一体的に形成されているが、これらの第１の位置規制片１１ｒ及び第２の位置規制片１１ｓは、上部シェル体１１ａの一部をコネクタ内方側である下方側に向かって略直角に切り起こすようにして形成されている。そして、当該第１の位置規制片１１ｒ及び第２の位置規制片１１ｓが、導電性シェル１１の閉塞時に、板状信号伝送媒体ＰＳ側に設けられた位置決め穴部ＰＳ２及び位置決め切欠き部ＰＳ３に係合し、それによって板状信号伝送媒体ＰＳの全体が、予め定められた所定の位置に保持されるようになっている。
【００３９】
さらに、下部シェル体１１ｂのコネクタ後端縁部分、すなわち導電性シェル１１の折り返し部分である挿入ガイド部１１ｃの反対側部分には、一対の帯板状部材からなるロック用弾性アーム１１ｈ，１１ｈが、コネクタ長手方向の両側部分からコネクタ前方側に向かって片持ち状をなすように延出している。これらの各ロック用弾性アーム１１ｈは、細長の帯板状部材から形成されており、前述した上下の固定側板１１ｄ〜１１ｇに対するコネクタ内方側領域を通って、挿入ガイド部１１ｃの近傍まで延びている。そして、それらのロック用弾性アーム１１ｈ，１１ｈにおける延出側の自由端部分には、嵌合ロック部１１ｉ，１１ｉが一体的に設けられている。これらの各嵌合ロック部１１ｉは、当該嵌合ロック部１１ｉを支持しているロック用弾性アーム１１ｈとともに、導電性シェル１１と同一の金属板材料を打ち抜くようにして一体的に形成されている。
【００４０】
このときの各嵌合ロック部１１ｉは、上述したロック用弾性アーム１１ｈのコネクタ前端側（先端側）の自由端部分から、コネクタ長手方向の外方側に向かって張り出すように形成されている。当該各嵌合ロック部１１ｉは、平面視において略三角形状をなすように形成されており、前方側から後方側に向かって連続的に幅広となる傾斜状案内辺部を有しているとともに、その傾斜案内辺部の頂部から下方に向かって略直線状に下降する直線状保持辺部を有している。そして、相手コネクタであるリセプタクルコネクタ２０に対してプラグコネクタ１０が挿入された際に、上述した嵌合ロック部１１ｉの傾斜状案内辺部が、後述するリセプタクルコネクタ２０の絶縁ハウジング２１に設けられたガイド受け部２１ａに当接し（図３２参照）、当該嵌合ロック部１１ｉの全体が、ロック用弾性アーム１１ｈの弾性に抗して弾性変位した後に嵌合状態になされた際に、元の位置に復帰する。より具体的には、上述した嵌合ロック部１１ｉの直線状保持辺部が、リセプタクルコネクタ２０側に設けられたロック係止穴２１ｂに係合状態になされ、それによって両電気コネクタ１０，２０同士の嵌合状態が保持されるようになっている。
【００４１】
このとき、特に図２及び図６に示されているように、上述したロック用弾性アーム１１ｈには、嵌合ロック部１１ｉの弾性変位量を規制するロックストッパ１１ｊが一体的に設けられている。このロックストッパ１１ｊは、嵌合ロック部１１ｉを支持しているロック用弾性アーム１１ｈの延在方向における途中位置に設けられており、当該ロック用弾性アーム１１ｈの下端縁部から下方に向かって突出する板状部材から形成されている。一方、このようなロックストッパ１１ｊに対応して、前述した下部シェル体１１ｂのコネクタ長手方向における両端縁部分には、平面略矩形状をなすように切り欠き形成されたストッパ受け部１１ｋが設けられており、当該ストッパ受け部１１ｋの内方空間にロックストッパ１１ｊが収容配置された構成になされている。
【００４２】
すなわち、上述したロックストッパ１１ｊは、ストッパ受け部１１ｋに収容された状態で当該ストッパ受け部１１ｋの端縁部に当接したときに位置規制作用を受けるように構成されており、そのような位置規制作用によって、嵌合ロック部１１ｉの過剰変位及び誤変位を規制する構成になされている。そのときのロックストッパ１１ｊによる嵌合ロック部１１ｉの規制作用は、コネクタ長手方向と、それに直交する方向（コネクタ短手方向）の２方向に機能することとなる。すなわち、後述するロック解除操作部１１ｎの操作によってロック用弾性アーム１１ｈがコネクタ中心側に過剰に押し込まれようとした場合にあっては、ロックストッパ１１ｊがストッパ受け部１１ｋに対してコネクタ中心側に向かって当接することにより同方向に位置規制が行われる。また、嵌合ロック部１１ｉが係合にある状態において、相手コネクタとしてのリセプタクルコネクタ２０からリセプタクルコネクタ１０が、嵌合のロック状態に反して無理に抜去されようとする場合にあっては、ロックストッパ１１ｊがストッパ受け部１１ｋに対してコネクタ前方側に向かって当接し、それによって同方向の位置規制が行われる。
【００４３】
このように、本実施形態におけるロックストッパ１１ｊは、ロック解除時におけるロック用弾性アーム１１ｈの過剰変位を規制する解除規制部と、ロック状態でのリセプタクルコネクタ２０の無理抜き時におけるロック用弾性アーム１１ｈの誤変位を規制する無理抜き規制部とを備えた構成になされている。
【００４４】
一方、上部シェル体１１ａのコネクタ後端縁部、すなわち導電性シェル１１の折り返し部分である挿入ガイド部１１ｃの反対側の端縁部からは、複数体（３体）の帯板状部材からなる解除用弾性アーム１１ｍ，１１ｍ，１１ｍが、コネクタ前方側に向かって片持ち状をなすように延出している。これらの各解除用弾性アーム１１ｍは、側面視において「Ｕ」字形状を９０°回転した形状又は略「Ｃ」字形状に折り返された曲げ形状をなして延在しており、上述した上部シェル体１１ａのコネクタ後端縁部から、一旦、コネクタ後方側に向かって延出した後に、上方に向かって立ち上がるように湾曲状に折れ曲がって延出し、さらにコネクタ前方側に向かって延びている。
【００４５】
このような各解除用弾性アーム１１ｍにおけるコネクタ前方側への延出方向の先端部分（前端部分）は、前述した上部シェル体１１ａの上方位置において上下方向に弾性変位される構成になされているが、それら複数体（３体）の解除用弾性アーム１１ｍ，１１ｍ，１１ｍにおける延出方向の先端部分同士は、コネクタ長手方向に延在する帯板状部材からなるアーム連結板１１ｍ１によって一体的に連結されている。従って、これら複数体（３体）の解除用弾性アーム１１ｍ，１１ｍ，１１ｍは、一体となった状態で上下方向に弾性的に揺動変位する構成になされている。
【００４６】
また、そのような各解除用弾性アーム１１ｍの揺動側の先端部分を連結しているアーム連結板１１ｍ１は、上述した上部シェル体１１ａに向かって下降する段差状の折曲部をなすように形成されており、当該アーム連結板１１ｍ１の下降段差状の折曲部を介して、平板状部材からなるロック解除操作部１１ｎが一体的に設けられている。このロック解除操作部１１ｎは、当該ロック解除操作部１１ｎを支持している解除用弾性アーム１１ｍとともに本発明にかかる「ロック解除部材」を構成するものであるが、導電性シェル１１と同一の金属板材料を打ち抜くようにして一体的に形成されている。
【００４７】
このときのロック解除操作部１１ｎを構成している平板状部材は、前述した上部シェル体１１ａの上方位置に設けられており、印刷配線基板（図示省略）の表面と直交する上下方向において互いに重なり合う状態に配置されている。すなわち、当該ロック解除操作部１１ｎは、上述した複数体（３体）の解除用弾性アーム１１ｍ，１１ｍ，１１ｍ及びアーム連結板１１ｍ１を介して、印刷配線基板（図示省略）の表面に対して略直交する上下方向に弾性変位可能な状態に配置されている。
【００４８】
また、そのような平板状部材からなるロック解除操作部１１ｎは、板状信号伝送媒体（ＦＰＣ，ＦＦＣ）ＰＳの差し込み方向に直交する板幅方向（コネクタ長手方向）において、前述した導電性シェル１１と略同一の幅寸法を有している。そして、そのロック解除操作部１１ｎにおける板幅方向の両端部分には、前述したロック用弾性アーム１１ｈ，１１ｈを弾性変位させる加圧部１１ｐ，１１ｐが設けられている。それらの各加圧部１１ｐは、ロック解除操作部１１ｎにおけるコネクタ長手方向の両端縁から外方に向かって片持ち状に突出するように設けられているが、そのロック解除操作部１１ｎの両端縁部からの突出方向（コネクタ外方向）において、印刷配線基板（図示省略）に向かって斜め下方に延出している。
【００４９】
すなわち、それらの各加圧部１１ｐは、印刷配線基板（図示省略）の表面に対して傾斜する方向に延在しているが、特に図９及び図１２に示されているように、当該各加圧部１１ｐの延在方向における途中部分が、各ロック用弾性アーム１１ｈの上方位置に配置されており、それらの各ロック用弾性アーム１１ｈに対して加圧部１１ｐが上方側から当接可能となる構成になされている。
【００５０】
そして、図９のようにロック用弾性アーム１１ｈの上方位置に加圧部１１ｐが離間して配置された状態から、図１２のようにロック解除操作部１１ｎとともに各加圧部１１ｐが下降操作された際に、各加圧部１１ｐの途中部分における傾斜延在面が、ロック用弾性アーム１１ｈに対して上方側から当接し、その当接状態において各加圧部１１ｐの傾斜延在面に分力としてコネクタ中心側（図１２の左方側）への付勢力が発生することとなる。その結果、図１０に示されているように、ロック用弾性アーム１１ｈがコネクタ中心側（図１２の左方側）に向かって押しやられるようにして弾性変位されるようになっている。
【００５１】
このようなロック解除操作が、両電気コネクタ１０，２０同士の嵌合状態で行われると、リセプタクルコネクタ２０側に設けられたロック係止穴２１ｂ（図３２及び図３４参照）から嵌合ロック部１１ｉがコネクタ内方側に離脱し、両電気コネクタ１０，２０同士の嵌合状態が解除される構成になされている。そして、両電気コネクタ１０，２０同士の嵌合状態が解除されると、リセプタクルコネクタ２０からプラグコネクタ１０が抜去可能状態となる。
【００５２】
［リセプタクルコネクタについて］
一方、電気コネクタ装置における他方の相手コネクタを構成しているリセプタクルコネクタ２０は、図２５〜図３４に示されているように、合成樹脂等の絶縁材料によって形成された絶縁ハウジング２１を有しているとともに、その絶縁ハウジング２１の外表面を覆って外部からの電磁波ノイズ等を遮断する導電性シェル２２を備えている。
【００５３】
絶縁ハウジング２１には、複数の導電コンタクト２３が、コネクタ長手方向に沿って多極状をなすようにして適宜のピッチ間隔で配列されている。それらの各導電コンタクト２３は、弾性を有するビーム状の金属材料が屈曲されて形成されており、前記絶縁ハウジング２１に設けられた溝状部内に前後方向に延在するように配置されている。これらの各導電コンタクト２３は、隣接するもの同士が略同一形状をなすように形成されている。
【００５４】
一方、前記各導電コンタクト２３の後端側部分には、下方側に向かって階段状をなすように折り曲げ形成された接続脚部２３ａが設けられており、その接続脚部２３ａが、図示を省略した印刷配線基板上に形成された信号伝送用の印刷配線パターン（導電路）上に半田接合されて電気的に接続されている。このときの半田接合は、多極配列方向の全てのものに対して一括して行われる。
【００５５】
また、上述した各導電コンタクト２３の前端側部分には、図示を省略した接点部が設けられており、それらの各接点部が、リセプタクルコネクタ２０に嵌合されたプラグコネクタ１０の接続端子部ＰＳ１の各接続端子に対して下方側から弾性的に接触される配置関係になされており、それによって前記接点部から接続脚部を介して印刷配線基板に至る信号伝送回路が形成される構造になされている。
【００５６】
さらに、導電性シェル２２の上面側部分には、複数体のグランドコンタクト２２ａがコネクタ長手方向に並列するように設けられている。これらの各グランドコンタクト２２ａは、導電性シェル２２の前方側の端縁部からコネクタ内方側（下方側）に折り返すように形成されており、当該リセプタクルコネクタ２０に嵌合されたプラグコネクタ１０の上部シェル体１１ａの上面部分に対して弾性的に接触する構成になされている。
【００５７】
また、その導電性シェル２２におけるコネクタ長手方向の両端部分には、一対のホールドダウン２２ｂ，２２ｂが設けられており、各ホールドダウン２２ｂの下端縁からコネクタ長手方向の外方側に向かって略水平に延出する基板接続部が、印刷配線基板上に形成された接地用の印刷配線パターン（導電路）上に半田接合されて電気的に接続され、それによって、導電性シェル２２から印刷配線基板に至るグランド回路が形成されるとともに、リセプタクルコネクタ２０の全体が固定されるようになっている。
【００５８】
一方、特に図３２及び図３４に示されているように、セプタクルコネクタ２０の絶縁ハウジング２１の前端部分には、プラグコネクタ１０が挿入される横長状の挿入開口部が設けられており、当該挿入開口部における長手方向の両端部に、プラグコネクタ１０の嵌合ロック部１１ｉに当接して当該嵌合ロック部１１ｉをコネクタ内方側（図３２及び図３４の左方側）に弾性変位させるガイド受け部２１ａが、傾斜面をなすように設けられている。また、そのガイド受け部２１ａのやや後方側には、嵌合ロック部１１ｉを収容可能な空間からなるロック係止穴２１ｂが凹設されている。
【００５９】
そして、前述したように、相手コネクタであるリセプタクルコネクタ２０に対してプラグコネクタ１０が挿入・嵌合された際に、嵌合ロック部１１ｉの傾斜状案内辺部が、リセプタクルコネクタ２０側のガイド受け部２１ａに当接することで、当該嵌合ロック部１１ｉの全体が、ロック用弾性アーム１１ｈの弾性に抗してコネクタ内方側（図３２及び図３４の左方側）に弾性変位される。その後、プラグコネクタ１０がさらに挿入されると、上述したガイド受け部２１ａは、ロック係止穴２１ｂの位置に至った際にロック係止穴２１ｂの内方に落ち込むようにして弾性的に元の位置に復帰し、それによって当該嵌合ロック部１１ｉの直線状保持辺部がロック係止穴２１ｂに係合状態となり、両電気コネクタ１０，２０同士の嵌合状態が保持されるようになっている。
【００６０】
このような実施形態にかかるプラグコネクタ１０においては、まず板状信号伝送媒体（ＦＰＣ，ＦＦＣ）ＰＳの端末部分が、上部シェル体１１ａと下部シェル体１１ｂとが開放状態にある導電性シェル１１の後端側挿入開口部を通して媒体収容空間内に挿入される（図１７〜図２０参照）。次いで、導電性シェル１１の上部シェル体１１ａと下部シェル体１１ｂとが閉塞状態になされることで（図２１〜図２４参照）、プラグコネクタ１０側に設けられた第１の位置規制片１１ｒ及び第２の位置規制片１１ｓが、板状信号伝送媒体ＰＳ側の位置決め穴部ＰＳ２及び位置決め切欠き部ＰＳ３に係合し、板状信号伝送媒体ＰＳの全体が予め定められた所定の位置に保持される。その際、板状信号伝送媒体ＰＳに設けられた位置決め穴部ＰＳ２及び位置決め切欠き部ＰＳ３は、当該板状信号伝送媒体ＰＳの挿入方向において並列するように配置されていることから、導電性シェル１１内に挿入された板状信号伝送媒体ＰＳが、位置決め穴部ＰＳ２及び位置決め切欠き部ＰＳ３の係止作用によって安定的に保持される。
【００６１】
上述したようにして板状信号伝送媒体（ＦＰＣ，ＦＦＣ）ＰＳを連結されたプラグコネクタ１０は、相手コネクタとしてのリセプタクルコネクタ２０の内方に向かって差し込むようにして挿入される（図２５〜図３２参照）。このように、本実施形態にかかるプラグコネクタ１０においては、絶縁基体（絶縁ハウジング）等が省略されており、部品点数の低減等により生産性の向上が図られるようになっている。
【００６２】
また、上述したリセプタクルコネクタ２０に対するプラグコネクタ１０の差し込み挿入操作は、挿入ガイド部２１ａによる差し込み方向の規制案内作用によって安定的に行われる。そして、そのリセプタクルコネクタ２０への差し込み嵌合時においては、嵌合ロック部１１ｉが、リセプタクルコネクタ２０の一部に係合することで、従来のような操作レバーの回動操作を行うことなく、差し込み嵌合状態が安定的に保持される。そして、電気コネクタ装置に対して想定外の外力が付与され或いは想定外の環境下で使用が行われた際にあっても、電気コネクタ装置における電気的な接続状態が嵌合ロック部により良好に維持され、同時に嵌合作業の効率化が図られる。
【００６３】
一方、本実施形態にかかるプラグコネクタ１０は、導電性シェル１１の全体が単一の導電性金属板の折曲げ体から形成されていることから、導電性シェル１１自体においても部品点数が低減されており、それによって生産性の向上が更に図られる。
【００６４】
さらに、本実施形態においては、両電気コネクタ１０，２０同士が嵌合されて嵌合ロック部１１ｉが係合された状態を解除するにあたっては、ロック解除操作部１１ｎに対して上方側からロック解除操作が施される。すなわち、印刷配線基板（図示省略）の表面と略直交する上下方向にロック解除操作部１１ｎの操作が行われることから、比較的広いスペースを有する上方側の空間において、ロック解除操作が容易かつ確実に行われる。
【００６５】
特に、本実施形態におけるロック解除操作部１１ｎは、板状信号伝送媒体（ＦＰＣ，ＦＦＣ）ＰＳの差し込み方向に直交し且つ板状信号伝送媒体ＰＳの主面に平行な板幅方向において導電性シェル１１と略同一の幅寸法を有していることから、ロック解除部材としてのロック解除操作部１１ｎの操作面積が拡大された状態になされ、ロック解除操作が一層、容易化される。
【００６６】
さらに、本実施形態においては、ロック解除操作部１１ｎを連結している解除用弾性アーム１１ｍに設けられたアーム連結板１１ｍ１に、段差状をなす折曲部が設けられていることから、アーム連結板１１ｍ１の折曲部によって解除用弾性アーム１１ｍの強度が増大されており、解除用弾性アーム１１ｍの塑性変形などの損傷が防止されるようになっている。
【００６７】
さらにまた、本実施形態において採用された導電性シェル１１は、上部シェル体片１１ａ及び下部シェル体片１１ｂを含む全体が一体的に形成されていることから、複数体の導電性シェル１１，１１，・・・が、例えばキャリア等によって連続的に繋げられた中間工程を採用することが可能となっており、このようにすれば、導電性シェル１１の製造が一括して行われることから、極めて効率的な製造が可能となる。
【００６８】
以上、本発明者によってなされた発明を実施形態に基づき具体的に説明したが、本実施形態は上述した実施形態に限定されるものではなく、その要旨を逸脱しない範囲で種々変形可能であるというのはいうまでもない。
【００６９】
例えば、上述した実施形態においては、板状信号伝送媒体（ＦＰＣ，ＦＦＣ）ＰＳに設けられた位置決め切欠き部ＰＳ３が、板幅方向の内方側に窪む切り欠き形状になされているが、板幅方向外方へ突出する形状とすることも可能であり、また板厚方向に突出する柱状形状のものや、窪む穴形状とすることも可能である。
【００７０】
また、上述した実施形態におけるグランド端子は、板状信号伝送媒体（ＦＰＣ，ＦＦＣ）ＰＳの片面上に形成されているが、信号端子の外側に配置した構成や、その他の配置関係とすることも当然に可能である。また、グランド端子を廃止した信号端子のみの構成とすることもできる。
【００７１】
さらにまた、上述した実施形態は、水平嵌合型のプラグコネクタに対して本発明を適用したものであるが、垂直嵌合型のプラグコネクタに対しても同様に適用することができる。
【産業上の利用可能性】
【００７２】
以上のように本実施形態は、各種電気機器に使用される多種多様な電気コネクタに対して広く適用することが可能である
【符号の説明】
【００７３】
１０  プラグコネクタ
１１  導電性シェル
１１ａ  上部シェル体
１１ｂ  下部シェル体
１１ｃ  挿入ガイド部（シェル連結部）
１１ｄ，１１ｅ  上部固定側板
１１ｆ，１１ｇ  下部固定側板
１１ｈ  ロック用弾性アーム（嵌合ロック部）
１１ｉ  嵌合ロック部（嵌合ロック部）
１１ｊ  ロックストッパ
１１ｋ  ストッパ受け部
１１ｍ  解除用弾性アーム（ロック解除部材）
１１ｍ１  アーム連結板
１１ｎ  ロック解除操作部（ロック解除部材）
１１ｐ  加圧部
１１ｒ  第１の位置規制片
１１ｓ  第２の位置規制片
２０  リセプタクルコネクタ（相手コネクタ）
２１  絶縁ハウジング
２１ａ  ガイド受け部
２１ｂ  ロック係止穴
２２  導電性シェル
２２ａ  グランドコンタクト
２２ｂ  ホールドダウン
２３  導電コンタクト
２３ａ  接続脚部
ＰＳ  板状信号伝送媒体（ＦＰＣ，ＦＦＣ）
ＰＳ１  接続端子部（多極状電極部）
ＰＳ２  位置決め穴部
ＰＳ３  位置決め切欠き部
【図１】
2017195032.tif 000003
【図２】
2017195032.tif 000004
【図３】
2017195032.tif 000005
【図４】
2017195032.tif 000006
【図５】
2017195032.tif 000007
【図６】
2017195032.tif 000008
【図７】
2017195032.tif 000009
【図８】
2017195032.tif 000010
【図９】
2017195032.tif 000011
【図１０】
2017195032.tif 000012
【図１１】
2017195032.tif 000013
【図１２】
2017195032.tif 000014
【図１３】
2017195032.tif 000015
【図１４】
2017195032.tif 000016
【図１５】
2017195032.tif 000017
【図１６】
2017195032.tif 000018
【図１７】
2017195032.tif 000019
【図１８】
2017195032.tif 000020
【図１９】
2017195032.tif 000021
【図２０】
2017195032.tif 000022
【図２１】
2017195032.tif 000023
【図２２】
2017195032.tif 000024
【図２３】
2017195032.tif 000025
【図２４】
2017195032.tif 000026
【図２５】
2017195032.tif 000027
【図２６】
2017195032.tif 000028
【図２７】
2017195032.tif 000029
【図２８】
2017195032.tif 000030
【図２９】
2017195032.tif 000031
【図３０】
2017195032.tif 000032
【図３１】
2017195032.tif 000033
【図３２】
2017195032.tif 000034
【図３３】
2017195032.tif 000035
【図３４】
2017195032.tif 000036